(57)【要約】【課題】  多彩な情報をリアルタイムに配信することができるようにし、店舗側における広告効果を最大限に活かすことを可能とする。【解決手段】  メディア媒体３０は、テレビ放送やインターネット等のリアルタイム性を持つメディア媒体により実現される。店舗１０内のストアコンピュータ２０は、広告情報を入力し、その広告情報を配信範囲（例えば、ＺＩＰコードによる配信地域の指定。不特定多数の顧客への配信を示す情報も含む）を示す情報とともに蓄積し、当該広告情報をメディア媒体３０を利用して顧客４０側に送信する。顧客４０側の情報受信手段５０は、店舗１０内のストアコンピュータ２０から送信されてくる広告情報を受信して、顧客４０に対して出力（表示等）する。【選択図】        図１
2005037779.tif 000002
【特許請求の範囲】
【請求項１】
集客力を必要とする業種における店舗から顧客に対して広告情報を配信する広告情報配信システムにおいて、
リアルタイム性を持つメディア媒体と、
広告情報を入力し、その広告情報を配信範囲を示す情報とともに蓄積し、当該広告情報を前記メディア媒体を利用して顧客側に送信する店舗内のストアコンピュータと、
前記ストアコンピュータから送信されてくる広告情報を受信して顧客に対して出力する顧客側の情報受信手段と
を有することを特徴とするメディア媒体利用広告情報リアルタイム配信システム。
【請求項２】
集客力を必要とする業種における店舗から顧客に対して広告情報を配信する広告情報配信システムにおいて、
各広告情報を配信時刻および配信範囲を示す情報とともに保持・蓄積する店舗内のストアコンピュータ中の情報蓄積部と、
広告情報の入力を行い、この入力に際して、当該広告情報に対する配信時刻や配信先や配信に利用されるメディア媒体の指定を行い、上記のようにして入力した広告情報を前記情報蓄積部に格納する店舗内のストアコンピュータ中の入力制御手段と、
前記情報蓄積部内の広告情報について指定された配信時刻になったと判定した場合に、当該広告情報の配信先や利用メディア媒体を認識し、利用メディア媒体がテレビ放送である場合に前記情報蓄積部内の配信対象の広告情報を放送局に送信し、利用メディア媒体がインターネットである場合に前記情報蓄積部内の配信対象の広告情報をインターネットプロバイダに送信する店舗内のストアコンピュータ中の配信制御手段と、
配信対象の広告情報を受信し、既存のテレビ放送の設備を用いて配信対象の広告情報を顧客宅に送信する前記放送局と、
前記放送局から送信されてきた広告情報を受信してその広告情報の表示を行う顧客側のテレビ受像器と、
各店舗独自の情報配信サイトを構築し、ある店舗からの広告情報の受信に基づいて当該店舗の情報配信サイトの自動作成・更新を行うことにより顧客側への当該広告情報の配信を実現し、メールサーバ機能によって電子メールの送信を制御することにより顧客のメールボックスに配信対象の広告情報の送信を行う前記インターネットプロバイダと、
情報配信サイトへのアクセスや電子メールの受信により広告情報を取得してその広告情報を表示する顧客側のインターネット対応情報受信装置と
を有することを特徴とするメディア媒体利用広告情報リアルタイム配信システム。
【請求項３】
集客力を必要とする業種における店舗から顧客に対して広告情報を配信する広告情報配信システムにおいて、
各広告情報を配信時刻および配信範囲を示す情報とともに保持・蓄積する店舗内のストアコンピュータ中の情報蓄積部と、
広告情報の入力を行い、この入力に際して、当該広告情報に対する配信時刻や配信先の指定を行い、上記のようにして入力した広告情報を前記情報蓄積部に格納する店舗内のストアコンピュータ中の入力制御手段と、
前記情報蓄積部内の広告情報について指定された配信時刻になったと判定した場合に、当該広告情報の配信先を認識し、前記情報蓄積部内の配信対象の広告情報を放送局に送信する店舗内のストアコンピュータ中の配信制御手段と、
配信対象の広告情報を受信し、既存のテレビ放送の設備を用いて配信対象の広告情報を顧客宅に送信する前記放送局と、
前記放送局から送信されてきた広告情報を受信してその広告情報の表示を行う顧客側のテレビ受像器と
を有することを特徴とするメディア媒体利用広告情報リアルタイム配信システム。
【請求項４】
集客力を必要とする業種における店舗から顧客に対して広告情報を配信する広告情報配信システムにおいて、
各広告情報を配信時刻および配信範囲を示す情報とともに保持・蓄積する店舗内のストアコンピュータ中の情報蓄積部と、
広告情報の入力を行い、この入力に際して、当該広告情報に対する配信時刻や配信先の指定を行い、上記のようにして入力した広告情報を前記情報蓄積部に格納する店舗内のストアコンピュータ中の入力制御手段と、
前記情報蓄積部内の広告情報について指定された配信時刻になったと判定した場合に、当該広告情報の配信先を認識し、前記情報蓄積部内の配信対象の広告情報をインターネットプロバイダに送信する店舗内のストアコンピュータ中の配信制御手段と、
各店舗独自の情報配信サイトを構築し、ある店舗からの広告情報の受信に基づいて当該店舗の情報配信サイトの自動作成・更新を行うことにより顧客側への当該広告情報の配信を実現し、メールサーバ機能によって電子メールの送信を制御することにより顧客のメールボックスに配信対象の広告情報の送信を行う前記インターネットプロバイダと、
情報配信サイトへのアクセスや電子メールの受信により広告情報を取得してその広告情報を表示する顧客側のインターネット対応情報受信装置と
を有することを特徴とするメディア媒体利用広告情報リアルタイム配信システム。
【請求項５】
利用するメディア媒体として、「電車内やタクシー内で表示されている文字放送システム」，「街頭に設置されている広告表示装置による自動表示システム」，および「店舗内に表示装置を設け、店舗に現在来店している顧客に対する直接的な情報提供を自動的に行うシステム」というメディア媒体のいくつかを付加的に採用することを特徴とする請求項２，請求項３または請求項４記載のメディア媒体利用広告情報リアルタイム配信システム。
【請求項６】
価格の変更が行われたような場合に、そのような事象に基づく配信対象の広告情報の自動的な作成・登録がレジスタ装置やハンディターミナルにより行われる態様を、ストアコンピュータへの情報入力態様として採用しうることを特徴とする請求項２，請求項３，請求項４または請求項５記載のメディア媒体利用広告情報リアルタイム配信システム。
【請求項７】
ストアコンピュータ内の入力制御手段が、新たな広告情報の入力時に、情報蓄積部における蓄積情報を使用することができるようにし、入力時間の短縮を図ることを特徴とする請求項２，請求項３，請求項４，請求項５または請求項６記載のメディア媒体利用広告情報リアルタイム配信システム。
【請求項８】
集客力を必要とする業種における店舗から顧客に対してリアルタイム性を持つメディア媒体を使用して広告情報を配信する広告情報配信システムにおいて、
店舗側において、ストアコンピュータ内の入力制御手段が広告情報の入力を行い、この入力に際して、配信時刻や配信先や配信に利用されるメディア媒体の指定を行う第１のステップと、
入力制御手段が、前記第１のステップで入力した広告情報を情報蓄積部に格納する第２のステップと、
店舗内のストアコンピュータ中の配信制御手段が情報蓄積部内の各広告情報について指定された配信時刻に達したか否かをチェックする第３のステップと、
前記第３のステップのチェックで「ある広告情報について配信時刻に達した」と判定した場合に、配信制御手段が当該広告情報の配信先や利用メディア媒体を認識する第４のステップと、
前記第４のステップで認識した利用メディア媒体がテレビ放送である場合に配信制御手段が情報蓄積部内の配信対象の広告情報を放送局に送信し、前記第４のステップで認識した利用メディア媒体がインターネットである場合に配信制御手段が情報蓄積部内の配信対象の広告情報をインターネットプロバイダに送信する第５のステップと、
前記第５のステップで送信された配信対象の広告情報を放送局が受信する第６のステップと、
放送局が、既存のテレビ放送の設備を用いて、前記第６のステップで受信した配信対象の広告情報を顧客宅に送信する第７のステップと、
前記第７のステップで送信された広告情報を顧客側のテレビ受像器が受信する第８のステップと、
テレビ受像器が前記第８のステップで受信した広告情報の表示を行う第９のステップと、
各店舗独自の情報配信サイトを構築しているインターネットプロバイダが前記第５のステップにおける店舗からの広告情報の送信に基づき当該店舗の情報配信サイトの自動作成・更新を行う第１０のステップと、
インターネットプロバイダが、メールサーバ機能によって電子メールの送信を制御することにより、顧客のメールボックスに配信対象の広告情報を有する電子メールを送信する第１１のステップと、
顧客側のインターネット対応情報受信装置が、前記第１１のステップで送信された電子メールを受信する第１２のステップと、
顧客側のインターネット対応情報受信装置が、前記第１０のステップで作成・更新された情報配信サイトへのアクセスを行うことにより広告情報を取得・表示し、前記第１２のステップで受信した電子メール中の広告情報の表示を行う第１３のステップと
を有することを特徴とするメディア媒体利用広告情報リアルタイム配信方法。
【請求項９】
集客力を必要とする業種における店舗から顧客に対してメディア媒体を使用して広告情報を配信する広告情報配信システムにおいて、
リアルタイム性を持つメディア媒体と、広告情報を受信して顧客に対して出力する顧客側の情報受信手段とが存在することを前提として、
店舗内のストアコンピュータを、広告情報を入力して配信範囲を示す情報とともにその広告情報を蓄積し、当該広告情報を前記メディア媒体を利用して顧客側に送信するように機能させるためのプログラム。
【請求項１０】
集客力を必要とする業種における店舗から顧客に対してメディア媒体を使用して広告情報を配信するメディア媒体利用広告情報リアルタイム配信システムにおいて、
リアルタイム性を持つメディア媒体としてテレビ放送およびインターネットが採用され、放送局および顧客側のテレビ受像機とインターネットプロバイダおよび顧客側のインターネット対応情報受信装置とが存在することを前提として、
各広告情報を配信時刻および配信範囲を示す情報とともに保持・蓄積する情報蓄積部を備える店舗内のストアコンピュータを、広告情報の入力を行い、この入力に際して、当該広告情報に対する配信時刻や配信先や配信に利用されるメディア媒体の指定を行い、上記のようにして入力した広告情報を前記情報蓄積部に格納する入力制御手段，および前記情報蓄積部内の広告情報について指定された配信時刻になったと判定した場合に、当該広告情報の配信先や利用メディア媒体を認識し、利用メディア媒体がテレビ放送である場合に前記情報蓄積部内の配信対象の広告情報を前記放送局に送信し、利用メディア媒体がインターネットである場合に前記情報蓄積部内の配信対象の広告情報を前記インターネットプロバイダに送信する配信制御手段として機能させるためのプログラム。
【発明の詳細な説明】
【技術分野】
【０００１】
本発明は、集客力を必要とする小売業等の業種（小売業の他にはレンタル業や娯楽業が考えられる）における比較的小規模な店舗から顧客に対してリアルタイム性を持つメディア媒体（テレビ放送やインターネット等）を利用して広告情報（商品の販売価格等の狭義の広告情報に加えてイベント情報やタイムセール情報等の各種情報を含む）をリアルタイムに配信するためのメディア媒体利用広告情報リアルタイム配信システムおよびメディア媒体利用広告情報リアルタイム配信方法に関する。
【背景技術】
【０００２】
比較的小規模な店舗における従来の広告情報配信方法（集客力を必要とする小売業等の業種における店舗から顧客への広告情報の配信方法）を考えると、大規模なチェーン店舗等において様々な広告情報配信方法が存在しているのに対して、非常に限られた方法しかなく、店舗側の意向を反映させた多彩な情報（例えば、天候や競合店の価格等の地域状況に応じた情報）の配信やリアルタイムな配信を実現することが難しかった。
【０００３】
例えば、新聞の折り込み広告による方法が考えられるが、この方法の場合には折り込み広告を作成した時点の情報しか記載することができず、記載内容を動的に変更することは不可能であった。これでは、店舗側の意図による価格の変更等を即座（リアルタイム）に顧客に伝えることができなかった。
【０００４】
なお、本発明に関連する従来技術文献としては、特許文献１，特許文献２，および特許文献３が存在する。
【０００５】
特許文献１記載の発明（情報提供方法）は、広告委託者の依頼に応じた広告作成のフェーズにおけるデータ放送による情報提供に関する発明であり、その技術内容の１つとして地域情報（地域コード）を付加した情報の放送（送信）を考察している。この従来の発明は、地域情報の付加を考慮している点で本発明と類似しているが、広告枠やコンテンツが決定した後（広告作成のフェーズが終了した後）における店舗（流通システムの末端）からの広告情報の配信を考察している本願発明とは明確に異なるものである。
【０００６】
特許文献２記載の発明（オンライン広告表示方法およびオンライン広告システム）は、インターネットのような通信網を利用した広告の配信に関する発明であり、広告主が地域を限定して広告を行うことを可能にするものである。この従来の発明は、放送や通信といった特定のインフラストラクチャの利用に特化されていない本願発明とは異なるものである。
【０００７】
特許文献３記載の発明（広告システム、サーバ装置とその広告配信方法、および広告配信プログラム）は、通信ショッピング（電子商店街における販売）における利用者や電子商店に対する情報の配信に関する発明であり、店舗（主に小規模な実際の店舗を想定している）から顧客に対してリアルタイム性を持つメディア媒体を利用して広告情報（商品の販売価格等の狭義の広告情報に加えてイベント情報やタイムセール情報等の各種情報を含む）をリアルタイムに配信するための技術である本願発明とは異なるものである。なお、当該従来技術がインターネットのような通信網に特化されている点も、放送や通信といった特定のインフラストラクチャの利用に特化されていない本願発明とは相違している。
【特許文献１】特開２００２−９４４７６号公報
【特許文献２】特開２００２−３１２６６９号公報
【特許文献３】特開２００３−３６３８８号公報
【発明の開示】
【発明が解決しようとする課題】
【０００８】
上述した従来の広告情報配信方法では、本願発明のような「リアルタイム性を持つメディア媒体や店舗側の情報を管理しているストアコンピュータの利用」が考慮されていなかったので、店舗側の意向を反映させた多彩な情報の即時配信（リアルタイムな配信）を行うことができないという問題点があった。
【０００９】
また、同様の理由により、特定の配信先への配信や鮮明な情報の配信が困難であるという問題点があった。
【００１０】
本発明の目的は、上述の点に鑑み、多彩な情報をリアルタイムに配信することができるようにし、店舗（小売業，レンタル業，および娯楽業等の集客力を必要とする店舗）側における広告効果を最大限に活かすことを可能とするメディア媒体利用広告情報リアルタイム配信システム（メディア媒体利用広告情報リアルタイム配信方法やプログラムの態様での発明を含む）を提供することにある。
【課題を解決するための手段】
【００１１】
本発明のメディア媒体利用広告情報リアルタイム配信システムは、集客力を必要とする業種における店舗から顧客に対して広告情報を配信する広告情報配信システムにおいて、リアルタイム性を持つメディア媒体と、広告情報を入力し、その広告情報を配信範囲（例えば、ＺＩＰコードによる配信地域の指定。不特定多数の顧客への配信を示す情報も含む）を示す情報とともに蓄積し、当該広告情報を前記メディア媒体を利用して顧客側に送信する店舗内のストアコンピュータと、前記ストアコンピュータから送信されてくる広告情報を受信して顧客に対して出力（表示等）する顧客側の情報受信手段とを有する。
【００１２】
なお、本発明のメディア媒体利用広告情報リアルタイム配信システムは、より具体的には、集客力を必要とする業種における店舗から顧客に対して広告情報を配信する広告情報配信システムにおいて、各広告情報を配信時刻および配信範囲を示す情報とともに保持・蓄積する店舗内のストアコンピュータ中の情報蓄積部と、広告情報の入力を行い、この入力に際して、当該広告情報に対する配信時刻や配信先や配信に利用されるメディア媒体の指定を行い（配信先および利用メディア媒体の指定によって配信範囲の指定が実現される）、上記のようにして入力した広告情報を前記情報蓄積部に格納（蓄積）する店舗内のストアコンピュータ中の入力制御手段と、前記情報蓄積部内の広告情報について指定された配信時刻になったと判定した場合に、当該広告情報の配信先や利用メディア媒体を認識し、利用メディア媒体がテレビ放送である場合に前記情報蓄積部内の配信対象の広告情報を放送局に送信し、利用メディア媒体がインターネットである場合に前記情報蓄積部内の配信対象の広告情報をインターネットプロバイダに送信する店舗内のストアコンピュータ中の配信制御手段と、配信対象の広告情報を受信し、既存のテレビ放送の設備を用いて配信対象の広告情報を顧客宅に送信する前記放送局と、前記放送局から送信（放送）されてきた広告情報を受信してその広告情報の表示を行う顧客側のテレビ受像器と、各店舗独自の情報配信サイト（ホームページ）を構築し、ある店舗からの広告情報の受信に基づいて当該店舗の情報配信サイトの自動作成・更新を行うことにより顧客側への当該広告情報の配信を実現し、メールサーバ機能によって電子メールの送信を制御することにより顧客のメールボックスに配信対象の広告情報の送信を行う前記インターネットプロバイダと、情報配信サイトへのアクセスや電子メールの受信により広告情報を取得（受信）してその広告情報を表示する顧客側のインターネット対応情報受信装置（コンピュータ，携帯情報端末，および携帯電話のいくつか）とを有すると表現することができる。
【００１３】
また、本発明のメディア媒体利用広告情報リアルタイム配信システムは、集客力を必要とする業種における店舗から顧客に対して広告情報を配信する広告情報配信システムにおいて、各広告情報を配信時刻および配信範囲を示す情報とともに保持・蓄積する店舗内のストアコンピュータ中の情報蓄積部と、広告情報の入力を行い、この入力に際して、当該広告情報に対する配信時刻や配信先の指定を行い（配信先の指定によって配信範囲の指定が実現される）、上記のようにして入力した広告情報を前記情報蓄積部に格納する店舗内のストアコンピュータ中の入力制御手段と、前記情報蓄積部内の広告情報について指定された配信時刻になったと判定した場合に、当該広告情報の配信先を認識し、前記情報蓄積部内の配信対象の広告情報を放送局に送信する店舗内のストアコンピュータ中の配信制御手段と、配信対象の広告情報を受信し、既存のテレビ放送の設備を用いて配信対象の広告情報を顧客宅に送信する前記放送局と、前記放送局から送信されてきた広告情報を受信してその広告情報の表示を行う顧客側のテレビ受像器とを有するように構成することも可能である。
【００１４】
さらに、本発明のメディア媒体利用広告情報リアルタイム配信システムは、集客力を必要とする業種における店舗から顧客に対して広告情報を配信する広告情報配信システムにおいて、各広告情報を配信時刻および配信範囲を示す情報とともに保持・蓄積する店舗内のストアコンピュータ中の情報蓄積部と、広告情報の入力を行い、この入力に際して、当該広告情報に対する配信時刻や配信先の指定を行い（配信先の指定によって配信範囲の指定が実現される）、上記のようにして入力した広告情報を前記情報蓄積部に格納する店舗内のストアコンピュータ中の入力制御手段と、前記情報蓄積部内の広告情報について指定された配信時刻になったと判定した場合に、当該広告情報の配信先を認識し、前記情報蓄積部内の配信対象の広告情報をインターネットプロバイダに送信する店舗内のストアコンピュータ中の配信制御手段と、各店舗独自の情報配信サイトを構築し、ある店舗からの広告情報の受信に基づいて当該店舗の情報配信サイトの自動作成・更新を行うことにより顧客側への当該広告情報の配信を実現し、メールサーバ機能によって電子メールの送信を制御することにより顧客のメールボックスに配信対象の広告情報の送信を行う前記インターネットプロバイダと、情報配信サイトへのアクセスや電子メールの受信により広告情報を取得してその広告情報を表示する顧客側のインターネット対応情報受信装置とを有するように構成することも可能である。
【００１５】
また、本発明は、集客力を必要とする業種における店舗から顧客に対してリアルタイム性を持つメディア媒体を使用して広告情報を配信する広告情報配信システムにおいて、店舗側において、ストアコンピュータ内の入力制御手段が広告情報の入力を行い、この入力に際して、配信時刻や配信先や配信に利用されるメディア媒体の指定を行う第１のステップと、入力制御手段が、前記第１のステップで入力した広告情報を情報蓄積部に格納（蓄積）する第２のステップ（新たな広告情報の入力時に過去にすでに入力され蓄積されている情報を使用することができるようにし、入力時間の短縮を図ることも可能である）と、店舗内のストアコンピュータ中の配信制御手段が情報蓄積部内の各広告情報について指定された配信時刻に達したか否かをチェックする第３のステップと、前記第３のステップのチェックで「ある広告情報について配信時刻に達した」と判定した場合に、配信制御手段が当該広告情報の配信先や利用メディア媒体を認識する第４のステップと、前記第４のステップで認識した利用メディア媒体がテレビ放送である場合に配信制御手段が情報蓄積部内の配信対象の広告情報を放送局に送信し、前記第４のステップで認識した利用メディア媒体がインターネットである場合に配信制御手段が情報蓄積部内の配信対象の広告情報をインターネットプロバイダに送信する第５のステップと、前記第５のステップで送信された配信対象の広告情報を放送局が受信する第６のステップと、放送局が、既存のテレビ放送の設備を用いて、前記第６のステップで受信した配信対象の広告情報を顧客宅に送信する第７のステップと、前記第７のステップで送信（放送）された広告情報を顧客側のテレビ受像器が受信する第８のステップと、テレビ受像器が前記第８のステップで受信した広告情報の表示を行う第９のステップと、各店舗独自の情報配信サイトを構築しているインターネットプロバイダが前記第５のステップにおける店舗からの広告情報の送信に基づき当該店舗の情報配信サイトの自動作成・更新を行う第１０のステップと、インターネットプロバイダが、メールサーバ機能によって電子メールの送信を制御することにより、顧客のメールボックスに配信対象の広告情報を有する電子メールを送信する第１１のステップと、顧客側のインターネット対応情報受信装置（コンピュータ，携帯情報端末，および携帯電話のいくつか）が、前記第１１のステップで送信された電子メールを受信する第１２のステップと、顧客側のインターネット対応情報受信装置が、前記第１０のステップで作成・更新された情報配信サイトへのアクセスを行うことにより広告情報を取得・表示し、前記第１２のステップで受信した電子メール中の広告情報の表示を行う第１３のステップとを有するメディア媒体利用広告情報リアルタイム配信方法として実現することも可能である。
【００１６】
さらに、本発明は、集客力を必要とする業種における店舗から顧客に対してメディア媒体を使用して広告情報を配信する広告情報配信システムにおいて、リアルタイム性を持つメディア媒体と、広告情報を受信して顧客に対して出力する顧客側の情報受信手段とが存在することを前提として、店舗内のストアコンピュータを、広告情報を入力して配信範囲を示す情報とともにその広告情報を蓄積し、当該広告情報を前記メディア媒体を利用して顧客側に送信するように機能させるためのプログラムの態様で実現することも可能である。
【００１７】
加えて、本発明は、集客力を必要とする業種における店舗から顧客に対してメディア媒体を使用して広告情報を配信するメディア媒体利用広告情報リアルタイム配信システムにおいて、リアルタイム性を持つメディア媒体としてテレビ放送およびインターネットが採用され、放送局および顧客側のテレビ受像機とインターネットプロバイダおよび顧客側のインターネット対応情報受信装置（コンピュータ，携帯情報端末，および携帯電話のいくつか）とが存在することを前提として、各広告情報を配信時刻および配信範囲を示す情報とともに保持・蓄積する情報蓄積部を備える店舗内のストアコンピュータを、広告情報の入力を行い、この入力に際して、当該広告情報に対する配信時刻や配信先や配信に利用されるメディア媒体の指定を行い、上記のようにして入力した広告情報を前記情報蓄積部に格納する入力制御手段，および前記情報蓄積部内の広告情報について指定された配信時刻になったと判定した場合に、当該広告情報の配信先や利用メディア媒体を認識し、利用メディア媒体がテレビ放送である場合に前記情報蓄積部内の配信対象の広告情報を前記放送局に送信し、利用メディア媒体がインターネットである場合に前記情報蓄積部内の配信対象の広告情報を前記インターネットプロバイダに送信する配信制御手段として機能させるためのプログラムの態様で実現することも可能である。
【発明の効果】
【００１８】
本発明によると、以下に示すような効果が生じ、店舗側における広告効果を最大限に活かすことができるようになる。
【００１９】
第１に、店舗側の情報を管理しているストアコンピュータ（パーソナルコンピュータ等によって実現可能なコンピュータであり、名称は「ストアコンピュータ」に限られない）とリアルタイム性を持つメディア媒体とを組み合わせて利用することによって、店舗側の意向を反映させた情報（店舗側の伝えたい情報）をリアルタイムに顧客に対して配信できるという効果が生じる。
【００２０】
第２に、ストアコンピュータにおいて配信先に関する情報（例えば、ＺＩＰコード）を管理することにより、特定の配信先に対しての広告情報の配信を可能とした上で、上記の第１の効果（店舗側の意向を反映させた広告情報の即時配信の実現）を挙げることができるという効果が生じる。
【００２１】
第３に、写真画像や動画像を配信できるようにすることによって、従来ではできなかったような、より鮮明な広告情報の配信が可能になるという効果が生じる。
【発明を実施するための最良の形態】
【００２２】
次に、本発明について図面を参照して詳細に説明する。
【００２３】
図１は、本発明を実施するための最良の形態に係るメディア媒体利用広告情報リアルタイム配信システムの構成を示すブロック図である。
【００２４】
図１を参照すると、このメディア媒体利用広告情報リアルタイム配信システムは、広告情報を入力・保持（蓄積）し当該広告情報をメディア媒体３０を利用して顧客４０に送信するストアコンピュータ２０を有する店舗１０と、リアルタイム性を持つメディア媒体３０と、情報受信手段５０を使用する顧客４０とを含んで構成されている（顧客４０は複数存在する）。
【００２５】
店舗１０は、小売業等の集客力を必要とする業種における店舗である。同じく集客力を必要とする業種としては、レンタル業や娯楽業なども考えられる。このような店舗１０は、狭義の広告やキャンペーン・イベントなどに関する各種の広告情報を配信することで、集客力の向上を期待することができる。
【００２６】
メディア媒体３０は、先にも述べたように、テレビ放送やインターネット等のリアルタイム性を持つメディア媒体によって実現される。複数のメディア媒体３０を併有することも可能である。
【００２７】
なお、メディア媒体３０としては、上記のテレビ放送やインターネットに加えて、または上記に換えて、次のａ〜ｃのいくつかを採用することも可能である。
【００２８】
ａ．電車内やタクシー内で表示されている文字放送システム
ｂ．街頭に設置されている広告表示装置（電光掲示板等）による自動表示システム
ｃ．店舗１０内に表示装置を設け、店舗１０に現在来店している顧客４０に対する直接的な情報提供を自動的に行うシステム
【００２９】
ここで、上記のａ〜ｃに示すメディア媒体３０が採用される場合には、情報受信手段５０は顧客４０に属するものではなく、電車内や街頭や店舗１０に存在することとなる。
【００３０】
次に、上記のように構成された本形態に係るメディア媒体利用広告情報リアルタイム配信システムの全体の動作について詳細に説明する。
【００３１】
店舗１０に設置されているストアコンピュータ２０は、広告情報を入力して保持（蓄積）する。
【００３２】
なお、ストアコンピュータ２０への情報入力態様としては、まず、パーソナルコンピュータ等への一般的な情報入力態様が考えられる。また、その他に、レジスタ装置やハンディターミナルなどによって、価格の変更が行われたような場合に、そのような事象に基づいて自動的に配信対象の広告情報を作成・登録（入力）する態様も可能となる。これにより、売上統計データによる売れ筋商品の情報や逆に売れ残っている商品の価格調整などのための情報も即座に顧客４０に対して配信できるようになる。
【００３３】
ストアコンピュータ２０は、保持・蓄積している広告情報群の中の伝えたい広告情報（店舗１０側の意向が反映された特定の広告情報）を、メディア媒体３０を用いることにより、顧客４０に対してリアルタイムに配信する。
【００３４】
顧客４０側の情報受信手段５０は、配信されてきた広告情報を受信し、顧客４０に対して当該広告情報を出力（表示等）する。
【００３５】
以下に、いくつかの実施例（図１に示す形態とはカテゴリの異なる実施例を含む）について、さらに具体的な説明を行う。
【実施例１】
【００３６】
図２は、本発明のメディア媒体利用広告情報リアルタイム配信システムの第１の実施例の構成を示すブロック図である。
【００３７】
図２を参照すると、本実施例に係るメディア媒体利用広告情報リアルタイム配信システムは、図１中のメディア媒体３０としてテレビ放送（ディジタルテレビ放送）とインターネットとを用いる構成となっている。すなわち、このメディア媒体利用広告情報リアルタイム配信システムは、ストアコンピュータ２０を有する店舗１０と、図１中のメディア媒体３０を実現するための放送局３１およびインターネットプロバイダ３２と、情報受信手段５０に該当するテレビ受像器５１およびインターネット対応情報受信装置（コンピュータ５２）を保持・使用する顧客４０とを含んで構成されている（ここでは１つの顧客４０しか示していないが、図１に示すように複数の顧客４０が存在しうる）。また、インターネット対応情報受信装置としては、コンピュータ５２に加えてまたは換えて、携帯情報端末（ＰＤＡ（Ｐｅｒｓｏｎａｌ  Ｄｉｇｉｔａｌ  Ａｓｓｉｓｔａｎｔｓ））５３および携帯電話５４のいずれかまたは両方を付加することも可能である（ここでは、コンピュータ５２，携帯情報端末５３，および携帯電話５４の全てが存在するものとする）。
【００３８】
店舗１０内のストアコンピュータ２０は、入力制御手段２１と、配信制御手段２２と、情報蓄積部２３とを含んで構成されている。
【００３９】
図３は、本実施例に係るメディア媒体利用広告情報リアルタイム配信システムにおける広告情報入力処理を示す流れ図（タイムチャート）である。この処理は、情報入力ステップＡ１と、情報蓄積ステップＡ２とからなる。
【００４０】
図４は、本実施例に係るメディア媒体利用広告情報リアルタイム配信システムにおける広告情報配信処理を示す流れ図（タイムチャート）である。この処理は、指定配信時刻到達判定ステップＢ１と、配信先・利用メディア媒体認識ステップＢ２と、広告情報配信ステップＢ３と、放送局広告情報受信ステップＢ４と、テレビ放送ステップＢ５と、テレビ受像器受信ステップＢ６と、テレビ受像器広告情報表示ステップＢ７と、情報配信サイト自動作成・更新ステップＢ８と、電子メール送信ステップＢ９と、電子メール受信ステップＢ１０と、コンピュータ等広告情報表示ステップＢ１１とからなる。
【００４１】
次に、図２〜図４を参照して、上記のように構成された本実施例に係るメディア媒体利用広告情報リアルタイム配信システムの全体の動作について詳細に説明する。
【００４２】
第１に、広告情報入力処理時の動作について説明する（図３参照）。
【００４３】
店舗１０側において、ストアコンピュータ２０内の入力制御手段２１は、広告情報の入力を行う（ステップＡ１）。この入力に際しては、ストアコンピュータ２０の性能に応じて、写真画像や動画像等の登録も可能とし、配信対象の広告情報を独自にデザインして登録することもできるようにする。また、配信時刻の指定や、ＺＩＰコードの指定等による配信先の指定や、配信に利用されるメディア媒体３０の指定（選択）等が行われる（配信先および利用メディア媒体の指定によって、配信範囲の指定が実現される）。
【００４４】
ここで、配信先の指定を可能とすることにより、不特定多数の顧客４０を配信先とする他に特定の顧客４０のみを配信先とすることが可能になる。この際に、各広告情報について個別に指定を行うことにより、広告情報の内容に応じて、顧客４０の範囲を限定することも可能である。また、利用するメディア媒体３０の特性に応じて、移動中の情報受信手段５０（携帯情報端末５３や携帯電話５４等）への配信をその存在場所を限定して指定することなど、店舗１０側が配信したい範囲を限定することが可能となる。
【００４５】
ちなみに、図２中のテレビ受像器５１は、ＢＳ（Ｂｒｏａｄｃａｓｔｉｎｇ  Ｓａｔｅｌｌｉｔｅ）ディジタル放送やＣＳ（Ｃｏｍｍｕｎｉｃａｔｉｏｎｓ  Ｓａｔｅｌｌｉｔｅ）ディジタル放送に対応できるテレビ受像器であり、ＺＩＰコードと呼ばれる住所コード（地域コード）を管理しているため、上記のように、ストアコンピュータ２０に情報を入力する時点で特定の住所コードを指定することにより配信先（配信地域）の指定をすることが可能となる。
【００４６】
また、配信先として登録する顧客リストの構築をストアコンピュータ２０の情報蓄積部２３上で行うことにより、登録されている顧客４０とそれ以外の顧客４０との間で配信する広告情報を変えることによるサービスの差別化を図ることも容易になる。
【００４７】
ストアコンピュータ２０内の入力制御手段２１は、上記のようにして入力した広告情報を情報蓄積部２３に蓄積する（ステップＡ２）。ここで、新たな情報の入力時に、このようにして蓄積した情報（過去にすでに入力され蓄積されている情報）を使用することができるようにし、入力時間の短縮を図ることも可能となる。
【００４８】
第２に、広告情報配信処理時の動作について説明する（図４参照）。
【００４９】
店舗１０内のストアコンピュータ２０中の配信制御手段２２は、情報蓄積部２３内の各広告情報について指定された配信時刻になったか否かをチェックしている（ステップＢ１）。
【００５０】
配信制御手段２２は、ステップＢ１のチェックで「ある広告情報について配信時刻になった」と判定した場合には、当該広告情報の配信範囲（配信先や利用メディア媒体）を認識し（ステップＢ２）、その配信先に該当する顧客４０に対して、ステップＢ２で認識した利用メディア媒体を使用した当該広告情報の配信を行う。
【００５１】
ここで、利用されるメディア媒体３０（テレビ放送またはインターネット）のいかんによって、それぞれ、以下の（１）および（２）に示すような処理が行われる。
【００５２】
（１）  テレビ放送による広告情報の配信が行われる場合
【００５３】
この場合には、ストアコンピュータ２０内の配信制御手段２２は、情報蓄積部２３内の配信対象の広告情報を通信回線等を用いて放送局３１に送信する（ステップＢ３）。
【００５４】
放送局３１は、配信対象の広告情報を受信する（ステップＢ４）。放送局３１においては、適切な形式への情報の変換が行われ、ディジタルテレビ放送による情報配信が行われる。ＢＳディジタル放送やＣＳディジタル放送ではデータ放送の送信が可能となっているため、この形式を用いることにより放送局３１側での情報の変換処理は必要最小限に止めることができる。
【００５５】
さらに、放送局３１は、既存のテレビ放送の設備を用いて、配信対象の広告情報を顧客４０宅のテレビ受像器５１に送信する（ステップＢ５）。なお、ＢＳディジタル放送やＣＳディジタル放送といったディジタルテレビ放送を用いることにより、送信対象の情報についてはそのまま独立データ放送としてテレビ受像器５１に送信できるため、放送局３１側の処理はほとんど存在しない。
【００５６】
顧客４０側のテレビ受像器５１は、送信（放送）されてきた広告情報を受信し（ステップＢ６）、その広告情報の表示を行い（ステップＢ７）、それにより顧客４０へのリアルタイムな情報配信を実現する。
【００５７】
（２）  インターネットによる広告情報の配信が行われる場合
【００５８】
この場合には、ストアコンピュータ２０内の配信制御手段２２は、情報蓄積部２３内の配信対象の広告情報をインターネットプロバイダ３２に送信する（ステップＢ３）。
【００５９】
インターネットプロバイダ３２は、各店舗独自の情報配信サイト（ホームページ）を構築しており、常にリアルタイムに情報配信をすることを可能としている。したがって、ステップＢ３における店舗１０内のストアコンピュータ２０からの情報配信に基づき、当該店舗（店舗１０）の情報配信サイトの自動作成・更新を行う（ステップＢ８）。
【００６０】
顧客４０側では、インターネット対応情報受信装置（ここでは、コンピュータ５２，携帯情報端末５３，および携帯電話５４）が、その店舗１０の情報配信サイトへのアクセスを行うことにより、その時点での最新情報を取得（受信）・表示することができるようになる（ステップＢ１１）。
【００６１】
また、インターネットプロバイダ３２は、メールサーバ機能によって電子メールの送信を制御することにより、顧客４０のメールボックスに直接に配信対象の広告情報の送信を行う（ステップＢ９）。
【００６２】
顧客４０側のコンピュータ５２，携帯情報端末５３，および携帯電話５４は、その電子メールを受信し（ステップＢ１０）、当該広告情報の表示を行う（ステップＢ１１）。
【００６３】
このように、インターネットを利用することにより、コンピュータ５２だけでなく携帯情報端末５３や携帯電話５４への情報配信が可能となり、さらに電子メールの送信を合わせることによりＰＵＳＨ型での情報配信も可能となる。
【００６４】
ここで、店舗１０側においてタイムセール（時間限定低価格販売）や突然の天候変化・他店競合などによる販売商品の販売価格変更があったような場合に、上記のような実施例による広告情報の配信を実施することによって、それらの情報を即座に顧客４０に告知することが可能となる。
【００６５】
なお、上記の実施例の構成・動作において、図２中の放送局３１側の送信設備や、インターネットプロバイダ３２での情報配信サイトや、顧客４０側の情報受信手段５０（テレビ受像器５１，コンピュータ５２，携帯情報端末５３，および携帯電話５４）の内容については、当業者にとってすでによく知られているものであり、また本発明とは直接には関係しないので、その詳細な説明は省略する。
【実施例２】
【００６６】
図５は、本発明の第２の実施例に係るメディア媒体利用広告情報リアルタイム配信システムの構成を示すブロック図である。
【００６７】
図５を参照すると、本実施例に係るメディア媒体利用広告情報リアルタイム配信システムは、第１の実施例における構成（図２参照）においてインターネットプロバイダ３２をはじめとするインターネットに関する構成要素が存在しない構成（図１中のメディア媒体３０としてテレビ放送（ディジタルテレビ放送）のみを利用した構成）となっている。
【００６８】
なお、本実施例（第２の実施例）に係るメディア媒体利用広告情報リアルタイム配信システムの動作は、インターネットが関与する動作を除いた第１の実施例における動作と同様のものとなる。
【実施例３】
【００６９】
図６は、本発明の第３の実施例に係るメディア媒体利用広告情報リアルタイム配信システムの構成を示すブロック図である。
【００７０】
図６を参照すると、本実施例に係るメディア媒体利用広告情報リアルタイム配信システムは、第１の実施例における構成（図２参照）において放送局３１をはじめとするテレビ放送に関する構成要素が存在しない構成（図１中のメディア媒体３０としてインターネットのみを利用した構成）となっている。
【００７１】
なお、本実施例（第３の実施例）に係るメディア媒体利用広告情報リアルタイム配信システムの動作は、テレビ放送が関与する動作を除いた第１の実施例における動作と同様のものとなる。
【実施例４】
【００７２】
次に、本発明の第４の実施例に係るメディア媒体利用広告情報リアルタイム配信方法について説明する。
【００７３】
本実施例に係るメディア媒体利用広告情報リアルタイム配信方法は、店舗側において、ストアコンピュータ内の入力制御手段が広告情報の入力を行い、この入力に際して、配信時刻や配信先や配信に利用されるメディア媒体の指定を行う第１のステップと、入力制御手段が、前記第１のステップで入力した広告情報を情報蓄積部に格納（蓄積）する第２のステップ（新たな広告情報の入力時に過去にすでに入力され蓄積されている情報を使用することができるようにし、入力時間の短縮を図ることも可能である）と、店舗内のストアコンピュータ中の配信制御手段が情報蓄積部内の各広告情報について指定された配信時刻に達したか否かをチェックする第３のステップと、前記第３のステップのチェックで「ある広告情報について配信時刻に達した」と判定した場合に、配信制御手段が当該広告情報の配信先や利用メディア媒体を認識する第４のステップと、前記第４のステップで認識した利用メディア媒体がテレビ放送である場合に配信制御手段が情報蓄積部内の配信対象の広告情報を放送局に送信し、前記第４のステップで認識した利用メディア媒体がインターネットである場合に配信制御手段が情報蓄積部内の配信対象の広告情報をインターネットプロバイダに送信する第５のステップと、前記第５のステップで送信された配信対象の広告情報を放送局が受信する第６のステップと、放送局が、既存のテレビ放送の設備を用いて、前記第６のステップで受信した配信対象の広告情報を顧客宅に送信する第７のステップと、前記第７のステップで送信（放送）された広告情報を顧客側のテレビ受像器が受信する第８のステップと、テレビ受像器が前記第８のステップで受信した広告情報の表示を行う第９のステップと、各店舗独自の情報配信サイトを構築しているインターネットプロバイダが前記第５のステップにおける店舗からの広告情報の送信に基づき当該店舗の情報配信サイトの自動作成・更新を行う第１０のステップと、インターネットプロバイダが、メールサーバ機能によって電子メールの送信を制御することにより、顧客のメールボックスに配信対象の広告情報を有する電子メールを送信する第１１のステップと、顧客側のインターネット対応情報受信装置（コンピュータ，携帯情報端末，および携帯電話のいくつか）が、前記第１１のステップで送信された電子メールを受信する第１２のステップと、顧客側のインターネット対応情報受信装置が、前記第１０のステップで作成・更新された情報配信サイトへのアクセスを行うことにより広告情報を取得・表示し、前記第１２のステップで受信した電子メール中の広告情報の表示を行う第１３のステップとからなる。
【００７４】
ここで、上記の図３および図４は、本発明の第４の実施例に係るメディア媒体利用広告情報リアルタイム配信方法の処理手順を示す流れ図にも該当する。
【００７５】
この場合に、上記の第１のステップ〜第２のステップは図３中のステップＡ１〜ステップＡ２に該当し、第３のステップ〜第１３のステップは図４中のステップＢ１〜ステップＢ１１に該当する。
【００７６】
なお、本実施例に係るメディア媒体利用広告情報リアルタイム配信方法の動作は、上記の第１の実施例に係るメディア媒体利用広告情報リアルタイム配信システムの説明で述べた図３および図４に示す動作（処理）の内容と同様のものになる。
【実施例５】
【００７７】
図７は、本発明の第５の実施例の構成を示すブロック図である。
【００７８】
図７を参照すると、本発明の第５の実施例は、図２に示した第１の実施例に対して、広告情報配信制御プログラム７００を備える点が異なっている。
【００７９】
広告情報配信制御プログラム７００は、入力制御手段２１，配信制御手段２２，および情報蓄積部２３を含むストアコンピュータ２０に読み込まれ、当該ストアコンピュータ２０の動作を、情報蓄積部２３が存在することを前提とした上で、入力制御手段２１および配信制御手段２２として制御する。広告情報配信制御プログラム７００の制御による入力制御手段２１および配信制御手段２２の動作は、第１の実施例における入力制御手段２１および配信制御手段２２の動作と全く同様になるので、その詳しい説明を割愛する。
【図面の簡単な説明】
【００８０】
【図１】本発明を実施するための最良の形態に係るメディア媒体利用広告情報リアルタイム配信システムの構成を示すブロック図である。
【図２】本発明の第１の実施例に係るメディア媒体利用広告情報リアルタイム配信システムの構成を示すブロック図である。
【図３】図２に示すメディア媒体利用広告情報リアルタイム配信システムにおける広告情報入力処理を示す流れ図であり、本発明の第４の実施例に係るメディア媒体利用広告情報リアルタイム配信方法の処理手順を示す流れ図でもある。
【図４】図２に示すメディア媒体利用広告情報リアルタイム配信システムにおける広告情報配信処理を示す流れ図であり、本発明の第４の実施例に係るメディア媒体利用広告情報リアルタイム配信方法の処理手順を示す流れ図でもある。
【図５】本発明の第２の実施例に係るメディア媒体利用広告情報リアルタイム配信システムの構成を示すブロック図である。
【図６】本発明の第３の実施例に係るメディア媒体利用広告情報リアルタイム配信システムの構成を示すブロック図である。
【図７】本発明の第５の実施例の構成を示すブロック図である。
【符号の説明】
【００８１】
１０  店舗
２０  ストアコンピュータ
２１  入力制御手段
２２  配信制御手段
２３  情報蓄積部
３０  メディア媒体
３１  放送局
３２  インターネットプロバイダ
４０  顧客
５０  情報受信手段
５１  テレビ受像器
５２  コンピュータ
５３  携帯情報端末
５４  携帯電話
７００  広告情報配信制御プログラム
Ａ１  情報入力ステップ
Ａ２  情報蓄積ステップ
Ｂ１  指定配信時刻到達判定ステップ
Ｂ２  配信先・利用メディア媒体認識ステップ
Ｂ３  広告情報配信ステップ
Ｂ４  放送局広告情報受信ステップ
Ｂ５  テレビ放送ステップ
Ｂ６  テレビ受像器受信ステップ
Ｂ７  テレビ受像器広告情報表示ステップ
Ｂ８  情報配信サイト自動作成・更新ステップ
Ｂ９  電子メール送信ステップ
Ｂ１０  電子メール受信ステップ
Ｂ１１  コンピュータ等広告情報表示ステップ
【図１】
2005037779.tif 000003
【図２】
2005037779.tif 000004
【図３】
2005037779.tif 000005
【図４】
2005037779.tif 000006
【図５】
2005037779.tif 000007
【図６】
2005037779.tif 000008
【図７】
2005037779.tif 000009